(57)【要約】【課題】  モップヘッドに装着されたままの払拭部材を手軽に清掃できる機能と、モップヘッドを柄棒に沿うようにして保持する機能とを併せもった用具を提供する。【課題手段】  モップの柄棒ａの適部に装着可能であるとともに、ブラシ部１２を備えており、かつ、モップの柄棒ａへの装着時、柄棒ａに沿うように回動させたモップヘッドｂの適部を保持する係止部１５を備える。【選択図】  図６
2005080882.tif 000002
【特許請求の範囲】
【請求項１】
モップの柄棒の適部に装着可能であるとともに、ブラシ部を備えており、かつ、モップの柄棒への装着時、柄棒に沿うように回動させたモップヘッドの適部を保持する係止部を備えていることを特徴とする、モップヘッド等の清掃具。
【請求項２】
長手状の本体部を備えており、この本体部の一端部はグリップ部とされ、他端部の側面には、上記ブラシ部が形成されている、請求項１に記載のモップヘッド等の清掃具。
【請求項３】
上記本体部の適部から一対のクランプ片が延出形成されており、この一対のクランプ片が上記柄棒を弾性挟持することにより、モップの柄棒の適部に装着可能となっている、請求項１または２に記載のモップヘッド等の清掃具。
【請求項４】
上記一対のクランプ片は、上記柄棒の外周面と対応した円筒状内面を有しているとともに、このクランプ片の先端部間の間隔は、上記柄棒の外径より小とされている、請求項３に記載のモップヘッド等の清掃具。
【請求項５】
上記係止部は、上記本体部の適部に切り欠きを設けることによって形成されている、請求項２ないし４のいずれかに記載のモップヘッド等の清掃具。
【請求項６】
上記ブラシ部は、複数の短冊状ゴム片を上記本体部の軸線に沿って並べ配置して形成されている、請求項２ないし５のいずれかに記載のモップヘッド等の清掃具。
【発明の詳細な説明】
【技術分野】
【０００１】
本願発明は、モップヘッド等の清掃具に関し、より詳しくは、柄棒の先端に清掃ヘッドが取り付けられたモップ等の清掃具のヘッドに付着したゴミ、塵埃等を容易に除去することができるように構成されたものに関する。
【背景技術】
【０００２】
モップ等の清掃用具は、たとえば、特許文献１あるいは特許文献２に開示されているように、柄棒の先端にモップヘッドが取り付けられて構成され、このモップヘッドには、たとえば、不織布を用いたモップ布等の払拭部材が着脱自在に取り付けられて使用されるようになっている。
【０００３】
【特許文献１】特開平１０−３０４９９７号公報
【特許文献２】特開平９−２８５４３０号公報
【０００４】
払拭部材がモップヘッドに対して着脱自在に取り付けることができるようになっているのは、使い捨ての汚れた払拭部材を新品のものに交換したり、繰り返し使用の汚れた払拭部材をクリーニング後のものに交換したりすることができるようにするためである。
【０００５】
また、柄棒は通常、モップヘッドに対し、モップヘッドの長軸方向の第１の軸線と、この第１の軸線と直交する第２の軸線との、２軸周りに自由回動可能に連結されている。ただし、垂直軸を中心として回動可能とされたものは少ない。これは、柄棒を床に対して様々な方向に様々な角度で傾斜させつつ、床に沿うモップヘッドを前後に押し引きし、あるいは、左右に移動させる操作を可能として、使い勝手を高めるためである。
【０００６】
ところで、払拭部材は、これが使い捨て用の新品やクリーニング後のものに交換可能であったとしても、モップヘッドに取り付けたままで付着したゴミや毛、あるいは塵埃を簡易な操作で除去できるのであれば、交換頻度を少なくすることができ、使用コストを下げることができる。
【０００７】
一方、モップヘッドは、上記したように柄棒に対して自由回動可能となっており、したがって、たとえば、このモップを柄棒を吊るすようにして保管するにしても、壁に立てかけて保管するにしても、モップヘッドが柄棒の下端でＴ字状に広がって保管場所を多くとる。
【発明の開示】
【発明が解決しようとする課題】
【０００８】
したがって、本願発明が解決しようとする課題は、モップヘッドに装着されたままの払拭部材を手軽に清掃できる機能と、モップヘッドを柄棒に沿うようにして保持する機能とを併せもった用具を提供することである。
【課題を解決するための手段】
【０００９】
上記の課題を解決するため、本願発明では、次の技術的手段を採用した。
【００１０】
すなわち、本願発明によって提供されるモップヘッド等の清掃具は、モップの柄棒の適部に装着可能であるとともに、ブラシ部を備えており、かつ、モップの柄棒への装着時、柄棒に沿うように回動させたモップヘッドの適部を保持する係止部を備えていることを特徴としている。
【００１１】
この清掃具は、モップの柄棒に付属させておくことができるのであり、他の保管場所は必要なく、見失うということがなく、装着状態においてモップによる清掃作業を何ら阻害することはない。必要なときに柄棒から取り外し、そのブラシ部を使ってモップヘッドのゴミや毛、塵埃等の除去作業をすることができる。さらには、この清掃具をモップの柄棒に装着しておくことにより、モップヘッドを柄棒に沿うように回動した状態でモップの保管をすることができ、このモップの保管スペースを節約することができる。
【００１２】
好ましい実施の形態では、このモップヘッド等の清掃具は、長手状の本体部を備えており、この本体部の一端部はグリップ部とされ、他端部の側面には、上記ブラシ部が形成されている。
【００１３】
このような構成によれば、グリップ部を把持して操作することができるので、手に馴染み、作業を行ないやすい。また、グリップ部に近接してブラシ部が設けられているので、細かな清掃操作が容易となる。
【００１４】
好ましい実施の形態では、上記本体部の適部から一対のクランプ片が延出形成されており、この一対のクランプ片が上記柄棒を弾性挟持することにより、モップの柄棒の適部に装着可能となっている。
【００１５】
好ましい実施の形態ではまた、上記一対のクランプ片は、上記柄棒の外周面と対応した円筒状内面を有しているとともに、このクランプ片の先端部間の間隔は、上記柄棒の外径より小とされている。
【００１６】
これらの構成によれば、一対のクランプ片を柄棒の側方から押し込むようにするだけで、簡単に一対のクランプ片による柄棒の挟持状態、すなわち、柄棒に対するこの清掃用具の装着状態が得られるし、逆に、この清掃用具を柄棒から引き離すようにするだけで、容易にこの清掃用具を柄棒から取り外すこともできる。さらには、柄棒の軸方向の位置を選択してこの清掃用具を装着することもできるし、装着状態において、この清掃用具を柄棒の軸方向にスライド移動させることもできる。
【００１７】
好ましい実施の形態ではさらに、上記係止部は、上記本体部の適部に切り欠きを設けることによって形成されている。
【００１８】
このような構成によれば、本体部を軽量化することができるし、また、この清掃用具を柄棒に装着した状態で上記のように柄棒に沿ってスライド移動させることにより、モップヘッドの適部を係止してこれを柄棒に沿って保持させる操作をより容易に行なうことができる。
【００１９】
好ましい実施の形態ではまた、上記ブラシ部は、複数の短冊状ゴム片を上記本体部の軸線に沿って並べ配置して形成されている。
【００２０】
ゴム片によるブラシ部は、繰り返し使用してもへたりがなく、また、ゴムには吸着性能を有しているものも存在するので、そのようなゴムを用いると、モップヘッドに付着した細かな塵埃等を掻き落とすブラシ部の作用がより優れたものとなる。
【００２１】
本願発明のその他の特徴および利点は、図面を参照して以下に行なう詳細な説明から、より明らかとなろう。
【発明を実施するための最良の形態】
【００２２】
以下、本願発明の好ましい実施の形態につき、図面を参照しつつ具体的に説明する。
【００２３】
本願発明に係るモップヘッド等の清掃具は、モップの柄棒に装着して用いるものである。まず、本願発明の清掃具が前提とするモップの構成例について、説明する。
【００２４】
図１に示されているように、このモップＡは、所定長さの柄棒ａと、この柄棒ａの先端に取り付けられたモップヘッドｂとを有する。柄棒ａは、たとえば、アルミニウム等の軽量金属のパイプを主材料として形成されるが、柄棒ａの材質としては、これに限定されない。モップヘッドｂは、たとえば、平面視長矩形状等の、長手軸線をもつとともに必要な厚みをもった板状の部材であって、不織布を用いたモップ布等の払拭部材（図示略）が着脱可能に取り付けられるようになっている。
【００２５】
上記モップヘッドｂの上面中央には、上記柄棒ａの下端が連結されるが、この連結においては、柄棒ａは、モップヘッドｂの長手方向の第１の軸線Ｌ1を中心として前後方向に回動可能であるとともに、この第１の軸線Ｌ1と直交する第２の軸線Ｌ2を中心として左右方向に回動可能となっている。すでに述べたように、柄棒ａを床に対して様々な方向に様々な角度で傾斜させつつ、床に沿うモップヘッドｂを前後に押し引きし、あるいは、左右に移動させる操作を可能とするためである。なお、柄棒ａを上記のようにモップヘッドｂに対して回動可能とする具体的機構や、モップヘッドｂの具体的構成は、何ら限定されるものではない。
【００２６】
図２ないし図４に、本願発明に係るモップヘッド等の清掃具１０の第１の実施形態を、柄棒ａに対する装着状態において示す。この清掃具１０は、樹脂成形によって得られる長手状の本体部１１を備えている。実施形態において、この本体部１１は、その断面において長軸と短軸とを有する断面楕円形をしたブレード状に形成されており、その長手方向一端部がグリップ１１ａとして機能するとともに、他端部の側縁には、ブラシ部材としての短冊状ゴム片１２ａを並べて設けてなるブラシ部１２が設けられている。グリップ１１ａには、すべりを防止するための軸方向に延びる凹溝１６が複数形成されている。なお、この実施形態では、ブラシ部１２は、全体として上記短冊状ゴム片１２ａを櫛状に連結した部材の基部を、本体部１１の上記他端部に形成したスリット１３に挟持させている。
【００２７】
上記本体部１１における、上記ブラシ部１２と反対側の縁には、一対のクランプ片１４が一体延出形成されている。このクランプ片１４は、弾性変形可能であるとともに、柄棒ａの外周面と対応した円筒状内面を有した形態を有しており、それらの先端部の間隔は、柄棒ａの外径よりも小に設定してある。もちろん、自然状態での一対のクランプ片１４の円筒状内面が形成する円は、柄棒ａの外周よりもやや小となるようにしてある。
【００２８】
さらに、上記本体部１１における、上記ブラシ部１２と反対側の縁の端部は、Ｌ字状に切り欠かれ、後記するように、第２の軸線Ｌ2を中心として回動させて柄棒ａに沿うように位置させたモップヘッドｂの適部に係合して、このようなモップヘッドｂの姿勢を保持する係止部１５が形成されている。
【００２９】
上記構成の清掃具１０は、上記したように、一対のクランプ片１４で柄棒ａを挟持させるようにして、この柄棒ａに付属させることができる。このように柄棒ａに付属させる操作は、一対のクランプ片１４の対向端部を柄棒ａに向けて押し込むことにより、簡単に行なうことができる。このように、清掃具１０は、モップＡの使用の邪魔にならないようにして、このモップに付属させておくことができる。
【００３０】
この清掃具１０は、柄棒ａに対する装着状態において、柄棒ａに沿ってスライド移動させることができる。したがって、図２に示すように、モップヘッドｂを柄棒ａに対して第２の軸線Ｌ2（図１）を中心として回動させ、柄棒ａに沿う姿勢をとらせた状態において、上記清掃具１０を柄棒ａに対してスライドさせ、係止部１５でモップヘッドｂの適部を係止することにより、モップヘッドｂの上記した柄棒ａに沿う状態を保持することができる。この状態では、モップヘッドｂがＴ字状に張り出すことがないので、モップＡの保管スペースが著しく節約される。
【００３１】
この清掃具１０はまた、柄棒ａから取り外し、モップヘッドｂの払拭部材に付着したゴミ、塵埃等をブラシ部で掻き落とすのに用いる。清掃具１０を柄棒から取り外すには、この清掃具１０を柄棒ａから引き剥がすようにするだけでよい。実施形態では、本体部１０の一端部を手に馴染みやすいグリップ１１ａとしてあるので、上記のようなモップヘッドｂの清掃操作が非常に行ない易い。また、実施形態では、ブラシ部１２は、複数のゴム片１２ａを設けることによって形成しているので、繰り返し使用しても、へたりがなく、吸着性能を有するゴムを採用することにより、モップヘッドｂの払拭部材に付着した細かな塵埃を都合よく掻き落とすことができる。
【００３２】
図５ないし図８は、本願発明に係るモップヘッド等の清掃具１０の第２の実施形態を示している。この第２の実施形態の上記第１の実施形態との相違は、モップヘッドの適部を保持するための係止部１５が、グリップ部１１側に形成されている点である。その余の点は、図２ないし図４に示した第１の実施形態と同様であるので、同一の部分または部材に第１の実施形態のものと同一の符号を付すことによって説明は省略する。この第２の実施形態に係る清掃具１０においても、第１の実施形態について上述したのと同様の利点を享受することができることは、明らかである。
【００３３】
もちろん、この発明の範囲は上記した実施形態に限定されるものではなく、各請求項に記載した事項の範囲内でのあらゆる変更は、すべて本願発明の範囲に含まれる。
【００３４】
上記したように、本体部１０の具体的形状は、種々変更可能であるし、また、ブラシ部１２は、ゴム片以外のものを用いることができる。また、この清掃具１０を装着する対象としてのモップＡ、あるいはモップヘッドｂは、図１に示したように、第２の軸線Ｌ2を中心として回動可能に柄棒ａに対して取り付けられており、柄棒ａに沿う回動位置をとり得るのであれば、その具体的形状は、問われない。
【図面の簡単な説明】
【００３５】
【図１】本願発明の第１の実施形態に係るモップヘッド等の清掃具を装着した状態でのモップの一例の全体斜視図である。
【図２】本願発明の第１の実施形態に係るモップヘッド等の清掃具をモップの柄棒に装着した状態で示す側面図である。
【図３】図２の III-III線に沿う断面図である。
【図４】図２の IV-IV線に沿う断面図である。
【図５】本願発明の第２の実施形態に係るモップヘッド等の清掃具を装着した状態でのモップの一例の全体斜視図である。
【図６】本願発明の第２の実施形態に係るモップヘッド等の清掃具の側面図である。
【図７】図６の VII-VII線に沿う断面図である。
【図８】図６の VIII-VIII線に沿う断面図である。
【符号の説明】
【００３６】
１０    清掃具
１１    本体部
１１ａ  グリップ
１２    ブラシ部
１２ａ  ゴム片
１３    スリット
１４    クランプ片
１５    係止部
１６    凹溝
Ａ      モップ
ａ      柄棒
ｂ    モップヘッド
Ｌ1    第１の軸線
Ｌ2    第２の軸線
【図１】
2005080882.tif 000003
【図２】
2005080882.tif 000004
【図３】
2005080882.tif 000005
【図４】
2005080882.tif 000006
【図５】
2005080882.tif 000007
【図６】
2005080882.tif 000008
【図７】
2005080882.tif 000009
【図８】
2005080882.tif 000010